(57)【要約】      （修正有）【課題】マウス操作が不要な医療用画像ビューアのリモートコントローラを提供する。【解決手段】ワイヤレスキーボードのボタンに、医療用画像ビューアを作動させる操作機能を割り当て、不要なボタンを外した場所に、操作機能の説明を書き込んだシールを貼る。【選択図】図１
0003168591.tif 000002
【実用新案登録請求の範囲】
【請求項１】
診察で電子画像を患者に説明する際に、医師が患者の顔を見ながら会話するという不可侵の診察の基本が侵されている現状に警鐘をならすことを目的とし、そのための解決策としてワイヤレスキーボードを考案した。
【請求項２】
ワイヤレスキーボードに医療用画像ビューアの操作機能をボタンに割り当てることと共に不要なボタンを外した。又、ボタンがどのような操作機能かを一目でわかるように貼り付けた（簡易マニュアル）。その為、初めての使用でも簡単にリモートコントロール操作を可能にしたところを特徴とする。
【請求項３】
マウスパッドの部分に取り外しが可能な保護フィルムを付け、誤操作しないよう防止するよう工夫した。
【考案の詳細な説明】
【技術分野】
【０００１】  本考案は、医療用画像ビューアを操作するリモートコントローラに関するものである。
【背景技術】
【０００２】  通常の医療用画像ビューアはパーソナルコンピュータで動作する為、キーボードとマウスによる操作が必要である。また、マウス操作には常にパソコンモニター画面を見続けることが必要である。さらにマウス操作で、多種多様な機能を駆使しなければならない為、充分な訓練を要する。
【先行技術文献】
【特許文献】
【０００３】
【特許文献１】  特開２００２−００８４７１
【非特許文献】
【０００４】
【非特許文献１】  「コニカミノルタエムジー株式会社  Ｌｕｎｅｏ−ＣＸ製品カタログ」
【考案の概要】
【考案が解決しようとする課題】
【０００５】  医療用画像ビューアでマウス操作をするには、充分な訓練を必要とし、かつ常にモニター画面を見ながらプルダウンメニューを選択することが必須となる。さらに、マウス操作の最中は、患者の顔を見ながら話すいわゆる「面診」ができない欠陥がある。前述の欠点を解決しようとするものである。
【課題を解決するための手段】
【０００６】  本考案は、ワイヤレスキーボードを用い、操作に必要な機能を１つのキーに対し１つの動作を登録することで、パソコンに向かってマウス操作を避けることで問題を解決している。さらに、不要なキーは機能を停止することで、誤動作を避ける工夫をしている。
【考案の効果】
【０００７】  上述の様に本考案は、リモートコントロール操作を可能にしたことで、パーソナルコンピュータ画面を常に見ている必要をなくした結果、上記の「面診」の質が向上した。その結果、患者の診察後の満足度を高める効果が著明であった。
【図面の簡単な説明】
【０００８】
【図１】本考案の医療用画象ビューア専用リモートコントローラの一実施例を示す正面図である。
【図２】本コントローラの保護フィルム付きマウスパッドの図である。
【考案を実施するための形態】
【０００９】  医療用画像を閲覧するパーソナルコンピューターに使用するワイヤレスキーボードを認識させる。認識させた後、操作したい動作機能を配置したボタンに記憶させ、不要なボタンを取り除く。機能を停止したキーの部分を使って割り当てた操作機能の説明（簡易マニュアル）を貼り付けた。これにより初心者でも、ボタンの機能を覚えなくても、問題なく簡単に操作が可能となった。また、マウスパッドを使用しない時に、誤操作しないようマウスパッドの部分に取り外しが可能な保護フィルムを付けた。
【符号の説明】
【００１０】  １〜２０  工夫したキー
２１      マウスパッド
２２      マジックテープ
２３      保護フィルム
【図１】
0003168591.tif 000003
【図２】
0003168591.tif 000004
【手続補正書】
【提出日】平成21年12月24日(2009.12.24)
【手続補正１】
【補正対象書類名】実用新案登録請求の範囲
【補正対象項目名】全文
【補正方法】変更
【補正の内容】
【実用新案登録請求の範囲】
【請求項１】
診察で電子画像を患者に説明する際に、医師が患者の顔を見ながら会話するという不可侵の診察の基本が侵されている現状に警鐘をならすことを目的とし、そのための解決策として考案したリモートコントローラ。
【請求項２】
ワイヤレスキーボードに医療用画像ビューアの操作機能をボタンに割り当て、不要なボタンを外し、ボタンがどのような操作機能かを一目でわかるように貼り付けることで、初めての使用でも簡単に操作を可能にするところを特徴とするリモートコントローラ。
【請求項３】
マウスパッドの部分に取り外しが可能な保護フィルムを付け、誤操作しないよう防止するよう工夫したリモートコントローラ。
【手続補正２】
【補正対象書類名】明細書
【補正対象項目名】００１０
【補正方法】変更
【補正の内容】
【００１０】１〜２０  工夫したキー
２１      マウスパッド（登録商標）
２２      マジックテープ（登録商標）
２３      保護フィルム（登録商標）
【手続補正３】
【補正対象書類名】図面
【補正対象項目名】全図
【補正方法】変更
【補正の内容】
【図１】
0003168591.tif 000005
【図２】
0003168591.tif 000006
【手続補正書】
【提出日】平成22年3月12日(2010.3.12)
【手続補正１】
【補正対象書類名】実用新案登録請求の範囲
【補正対象項目名】全文
【補正方法】変更
【補正の内容】
【実用新案登録請求の範囲】
【請求項１】
診察で電子画像を患者に説明する際に、医師が患者の顔を見ながら会話するという不可侵の診察の基本が侵されている現状に警鐘をならすことを目的とし、そのための解決策としてボタン操作のみで動作するように考案したリモートコントローラ。
【請求項２】
医療用画像ビューアの操作機能を図１の１〜２０に登録し、周囲に簿案がどのような操作機能か一目でわかるように説明を貼り付けることで、初めての使用でも簡単に操作を可能にするところを特徴とする請求項１記載のリモートコントローラ。
【請求項３】
マウスパッドの部分にマジックテープ（登録商標）を使用して保護フィルムを取り付けることでマウスパッド使用時以外は触れないように工夫した請求項１記載のリモートコントローラ。
【手続補正２】
【補正対象書類名】明細書
【補正対象項目名】００１０
【補正方法】変更
【補正の内容】
【００１０】１〜２０  工夫したキー
２１      マウスパッド
２２      マジックテープ（登録商標）
２３      保護フィルム
【手続補正書】
【提出日】平成22年6月21日(2010.6.21)
【手続補正１】
【補正対象書類名】実用新案登録請求の範囲
【補正対象項目名】全文
【補正方法】変更
【補正の内容】
【実用新案登録請求の範囲】
【請求項１】
診察で電子画像を患者に説明する際、マウスによる操作では医師がコンピュータの画面からほとんど目を離すことがなくなり、医師が患者の顔を見ながら会話するという不可侵の診察の基本が侵されている現状に警鐘をならすことを目的とし、そのための解決策として画面を見ずにボタン操作のみで動作するように考案したリモートコントローラ。
【請求項２】
上記リモートコントローラに医療画像用画像ビューアの操作機能をボタンに割り当てること、共に不要なボタンがどのような操作機能かを一目でわかるように表示してあることを特徴とする請求項１記載のリモートコントローラ。
【請求項３】
上記リモートコントローラの下部には、マウスのようにカーソルを動かすことができるタッチパッドが備わっているが、キー操作時に誤って触れてしまい、誤操作をしてしまわないように、プラスチック製の板でタッチパッドを覆うようにし、これをマジックテープ（登録商標）で固定することにより、タッチパッド使用時はプラスチック製の板を容易に外し、使用できるように工夫した請求項１記載のリモートコントローラ。
【手続補正書】
【提出日】平成22年9月29日(2010.9.29)
【手続補正１】
【補正対象書類名】実用新案登録請求の範囲
【補正対象項目名】全文
【補正方法】変更
【補正の内容】
【実用新案登録請求の範囲】
【請求項１】
診察で電子画像を患者に説明する際、マウスによる操作では医師がコンピュータの画面からほとんど目を離すことがなくなり、医師が患者の顔を見ながら会話するという不可侵の診察の基本が侵されている現状に警鐘をならすことを目的とし、そのための解決策としてＢｌｕｅｔｏｏｔｈ（登録商標）仕様のキーボードを用い、コンピュータの画面を見ずとも患者の顔をみながらでも簡単にボタン操作で電子画像を動かすことの出来る様に考案したリモートコントローラ。
【請求項２】
上記リモートコントローラに医療画像用画像ビューアを作動させる為の操作機能を必要なだけのボタンに割り当てることと共に操作機能に不要なボタンを外し、その上にボタンがどのような操作機能かの説明を書き込んだシールを貼ることで、一目で医療用画像ビューアを操作出来るようにしてあることを特徴とする請求項１記載のリモートコントローラ。
【請求項３】
上記リモートコントローラの下部には、マウスのようにカーソルを動かすことのできるタッチパッドが備わっているが、誤って触れてしまい、誤操作を起こさないようにする為に、タッチパッドを使用しない時は、プラスチック製の透明な０．１ｍｍの板で何度でも必要に応じて取り外し出来るように、マジックテープ（登録商標）で仮固定し、タッチパッドを使用する時はプラスチック製の板を外して使用できるように工夫した請求項１記載のリモートコントローラ。
【手続補正書】
【提出日】平成23年1月6日(2011.1.6)
【手続補正１】
【補正対象書類名】実用新案登録請求の範囲
【補正対象項目名】全文
【補正方法】変更
【補正の内容】
【実用新案登録請求の範囲】
【請求項１】
診察で電子画像を患者に説明する際、医療用画像ビューアを作動させる為にはマウスによる操作を必要とするが、医師がコンピュータの画面からほとんど目を離すことがなくなり、医師が患者の顔を見ながら会話するという不可侵の診察の基本が侵されている現状に警鐘をならすことを目的とし、そのための解決策としてＢｌｕｅｔｏｏｔｈ（登録商標）仕様のキーボードを用い、医療用画像ビューアを作動させる為の操作機能をボタンに割り当てることで、コンピュータの画面を見ずとも患者の顔を見ながらでも簡単にボタン操作で電子画像を動かすことの出来る様に考案したリモートコントローラ。
【請求項２】
上記リモートコントローラに医療用画像ビューアを作動させる為の操作機能を必要なだけのボタンに割り当てることと共に操作機能に不要なボタンを外し、その外した場所にボタンがどのような操作機能かの説明を書き込んだシールを貼ることで、一目で医療用画像ビューアを操作することが出来るようにしてあることを特徴とする請求項１記載のリモートコントローラ。
【請求項３】
上記リモートコントローラ下部には、マウスの様にカーソルを動かすことの出来るタッチパッドが備わっているが、誤って触れてしまい、誤動作を起こさない様にする為に、タッチパッドを使用しない時は、プラスチック製の透明な０．１ｍｍの板に何度でも必要に応じて取り外し出来る様に、マジックテープ（登録商標）で仮固定し、タッチパッドを使用する時はプラスチック製の板を外して使用できるように工夫した請求項１記載のリモートコントローラ。
【手続補正書】
【提出日】平成23年3月23日(2011.3.23)
【手続補正１】
【補正対象書類名】実用新案登録請求の範囲
【補正対象項目名】全文
【補正方法】変更
【補正の内容】
【実用新案登録請求の範囲】
【請求項１】
Ｂｌｕｅｔｏｏｔｈ（登録商標）仕様のキーボードであって、医療用画像ビューアを作動させる為の操作機能を必要なだけのボタンに割り当て、操作機能に不要なボタンを外し、その外した場所にボタンがどのような操作機能かの説明を書き込んだシールを貼ったことを特徴とするリモートコントローラ。
【請求項２】
上記リモートコントローラ下部には、マウスの様にカーソルを動かすことの出来るタッチパッドが備わっているが、誤って触れてしまい、誤動作を起こさない様にする為に、タッチパッドを使用しない時は、プラスチック製の透明な０．１ｍｍの板に何度でも必要に応じて取り外し出来る様に、マジックテープ（登録商標）で仮固定し、タッチパッドを使用する時はプラスチック製の板を外して使用できるように工夫した請求項１記載のリモートコントローラ。